(57)【要約】      （修正有）【課題】墓所に設置される水汲み場であって、流し場や水栓柱や手桶あるいは柄杓などの各種墓参用品の整理棚が効率よく整頓され、かつ参拝の老若男女が憩えるスペースを提供する。【解決手段】墓所の所望の所定箇所に設けられ、参拝時に使用され地面に敷設されたコンクリート面上に立設される水汲み場１０であって、水汲み場は、水栓柱１３と、水栓柱の一方側に配置される洗い場１４と、水栓柱の他方側に配置され、手桶や柄杓などの墓参用具の整理棚１５とより構成される水汲み場本体１２よりなり、整理棚１５は、ステンレス製パイプによって区画し配置されスペースを有すると共に、水切り用の床面パネル１５cに載置される手桶本体と、ステンレス製パイプ１８によって係止めされて吊り下げられる柄杓本体とよりなる。【選択図】図１
2020197050.tif 000002
【特許請求の範囲】
【請求項１】
墓所である墓園の所望の所定箇所に設けられ、地面に敷設されたコンクリート面上に立設され、参拝時に使用される水汲み場であって、
上記水汲み場を構成する水汲み場本体は、水道管より引き出される給水導管の放出水を蛇口を介して取り出す水栓柱と、上記水栓柱の一方側に配置される洗い場と、上記水栓柱の他方側に配置され、手桶や柄杓などの墓参用具の整理棚とより構成され、
上記整理棚は、ステンレス製パイプによって区画して配置されるスペースを有すると共に、水切り用の床面パネルに載置される手桶保管部と、ステンレス製パイプによって係止めされて吊り下げられる柄杓保管部と、よりなることを特徴とする墓所に設置される水汲み場。
【請求項２】
上記水汲み場本体は、自由な加工性に富んだ石材によって成形されることを特徴とする請求項１記載の墓所に設置される水汲み場。
【請求項３】
上記水栓柱は、上下の分割パーツの組み合わせによって成形され、互いの対向面部には蛇口用の挿嵌凹部を有することを特徴とする請求項２記載の墓所に設置される水汲み場。
【発明の詳細な説明】
【技術分野】
【０００１】
本発明は、墓所である墓園に設置される水汲み場であって、流し場や水栓柱や手桶あるいは柄杓などの各種墓参用品の整理棚が、効率よく整理・整頓され、かつ参拝の老若男女が憩える墓所に設置される水汲み場に関する。
【背景技術】
【０００２】
近年は、墓所における墓も宗派に囚われない公園墓地などのような墓園も多く建設されてきているため、故人を偲び弔うための場所であると共に、大人だけではなく子供を含めて故人を気持ちよく楽しい気分で偲び弔うことが必要になってきている。
【０００３】
また、そのように故人を偲び弔うための場所であるため、例えば、墓参に必要な水汲み場の他に散水用の水桶や柄杓などが必要であるが、余り研究の対象とされていなかった。
従来、神社や寺院等におかれ、参詣者が手や口を漱ぎ清める手水舎には柄杓が供えられ、墓を清めるための水桶が供えられている。
この柄杓は、木製や竹製であるが、用途や目的に応じて大きさや素材には多くの種類があり、木製や竹製の他に金属製やプラスチック製のものもある。
また、桶は、底板の周りに細長い木の板を筒形になるように並べて占めた容器からなり、木製の他に金属製やプラスチック製のものある。
【０００４】
このように、墓所である墓園に設置される流し場や水栓柱や手桶あるいは柄杓などの各種墓参用品の整理棚を備えた水汲み場に関すものに次のような特許文献１がある。
すなわち、墓参り用手桶及び墓参り用柄杓等の墓参り用具を簡単に収納することができる墓参り用具収納装置及び墓参り用具収納装置を備えた墓の提供を課題とするもので、墓本体は、大理石等の石材から形成された竿石と、石材等から構成された外棚とを備えており、墓参り用具収納装置は、外棚の内側の近傍に設置されている。
これにより、墓参り毎に墓参り用手桶、墓参り用柄杓及び柄付きわし等の墓参り用具を墓参り毎に持ち運ぶ手間が省け、自分専用の手桶や柄杓を置いておくことができる（同文献の段落：００３４、乃至段落：００３５記載）。
【先行技術文献】
【特許文献】
【０００５】
【特許文献１】実用新案登録第３２１６８０１号
【発明の開示】
【発明が解決しようとする課題】
【０００６】
このため、 特許出願人は、気持ちよく故人を祀るためまた気持ちよく故人を弔うための水汲み場として、また、成形性に優れ、流し場や水栓柱や手桶あるいは柄杓などの各種墓参用品の整理棚が準備され、墓参に際して参拝する老若男女が気持ちよく憩えて墓参することができる墓所の水汲み場を鋭意研究したものである
【０００７】
本発明の目的は、墓所である墓園に設置される水汲み場であって、自由加工性に優れた石材による各分割パーツの接合・組み合わせにより、流し場や水栓柱や手桶あるいは柄杓などの各種墓参用品の整理棚が準備され、効率よく整理・整頓され、かつ参拝の老若男女が憩える墓所に設置される水汲み場の提供である。
【課題を解決するための手段】
【０００８】
本発明は、請求項１記載のように、墓所である墓園の所望の所定箇所に設けられ、地面に敷設されたコンクリート面上に立設され、参拝時に使用される水汲み場であって、上記水汲み場を構成する水汲み場本体は、水道管より引き出される給水導管の放出水を蛇口を介して取り出す水栓柱と、上記水栓柱の一方側に配置される洗い場と、上記水栓柱の他方側に配置され、手桶や柄杓などの墓参用具の整理棚とより構成され、上記整理棚は、ステンレス製パイプによって区画して配置されるスペースを有すると共に、水切り用の床面パネルに載置される手桶保管部と、ステンレス製パイプによって係止めされて吊り下げられる柄杓保管部と、よりなることを特徴とする。
また、請求項２記載のように、上記水汲み場本体は、自由な加工性に富んだ石材によって成形されることを特徴とする。
また、請求項３記載のように、上記水栓柱は、上下の分割パーツの組み合わせによって成形され、互いの対向面部には蛇口用の挿嵌凹部を有することを特徴とする。
【発明の効果】
【０００９】
本発明は、墓所である墓園に設置される水汲み場であって、流し場や水栓柱や手桶あるいは柄杓などの各種墓参用品の整理棚が効率よく設置・整頓され、かつ参拝の老若男女が憩えるようなスペースを有する。
【図面の簡単な説明】
【００１０】
【図１】本発明に係る墓所における水汲み場を示す斜視図である。
【図２】図１に示した水汲み場の水汲み場本体を示す斜視図である。
【図３】図１に示した水汲み本体の縦断面図である。
【図４】図１に示した水汲み場の第２の実施例である。
【図５】図４に示した水汲み場の斜視である
【図６】図１に示した柄杓設置状態を示す説明図である。
【図７】図１に示した捨コン基礎構造図１に示した縦断面図である。
【発明を実施するための最良の形態】
【００１１】
以下、本発明の実施例を図面に基づき詳細に説明する。
図１は、墓園１０の所望箇所に設けられた参拝時に使用する水汲み場１１である。
この水汲み場１１は、少なくとも水を放出する水栓柱１３と、手足などを洗い流す洗い場１４と、参拝に際して使用する手桶１６や柄杓１７などの器具類を整理して保管する整理棚１５とよりなる水汲み場本体１２によって構成されている。
この水汲み場本体１２は、御影石等の石材によって形成されており、地面Ｇに敷設されたコンクリート１９上に立設さが、その他タイルを敷き詰めてもよい。
なお、水汲み場本体１２以外の水汲み場１１のスペースとしては、所望により適宜なスペースとすることができ、例えば、椅子やテーブル等を設置した自由な休憩場等のスペース空間として活用可能である。
また、コンクリート１９によって支持される水汲み場１１の下部側は、捨てコンと称せられる基礎部２０が埋設されて水汲み場１１を支持している。
また、水汲み場本体１２を構成する水栓柱１３や洗い場１４や整理棚１５は、それぞれが分割パーツの組み合わせによって構成されることより、より容易により簡便に組合すことでき、より自由に組合せて成型することができる。
【００１２】
水栓柱１３は、四角で縦長の外装ケース１３aよりなり、詳細は後述するが、一方側(図中左側)に洗い場１４が配置され、他方側(図中右側)に手桶１６や柄杓１７等の器具類の整理棚１５が配置される。
水栓柱１３の上部は閉じられた蓋体１３bとされ、その下部は開口された底部１３cとされ、その中間部分は中空孔１３dとされている。
中空孔１３dと連続する開口された底部１３cからは、水道管２３と接続される給水導管２４が挿通され、中空孔１３dの上部近傍に開設された穿孔１３eを介して給水導管２４が引き出されると共に、給水導管２３には蛇口２５が接続されている。
なお、穿孔１３eはダイヤモンドカッターなどで行う。
【００１３】
洗い場１４は、蛇口２５から放出された水の受け皿となるもので、底部１４aと底部１４aを囲む外枠１４b・・との組み合わせによりなっている。１４cは底部１４dに設けられた排水口である。
なお、流し場１４の底部や外枠は、この実施例のように分割パーツより形成されるのが好適である。
【００１４】
整理棚１５は、参拝時に水を汲み持参する手桶１６や柄杓１７等を整理して保管する整理棚用スペースＳであって、水栓柱１３の他方側(図中右側)に対して正面部１５aと側面部１５ｂとから形成されたL字状壁面のスペースである。
正面部１５aと側面部１５ｂとによって囲まれたL字状壁のスペース内は、整理棚用スペースＳは、主として多数の手桶１６・・・と多数の柄杓１７・・・が配置される。
手桶１６は、手桶本体１６aと手桶持ち部１６bよりなり、整理棚用スペースＳ内において長手方向に上下左右に配置され架け渡されたステンレス製パイプ１８・・・内に設置される。
なお、整理棚用スペースＳには水切り穴を有する床面パネル１５cに載置されている。
柄杓１７は、整理棚のスペースＳの短手方向において、所定間隔を隔てた左右一対のステンレス製パイプが１９、１９が配置されて柄杓１７が係止められる。上記所定間隔とは、柄杓本体１７a＜手持ち部１７bであり、柄杓本体１７aを介して手持ち部１７bが引きかかり垂下される。
【００１５】
このように、地面Ｇに敷設されたコンクリート２１上に立設された水汲み場１１は、水道管２３より引き出された給水導管２４の放出水を蛇口２５を介して取り出す水栓柱１３を備えると共に、この水栓柱１３の一方側(図中左側)に洗い場１４を配置し、かつ水栓柱１３の他方側(図中右側)に手桶１６や柄杓１７の整理棚１５を配置し、これら水栓柱１３や洗い場１４や整理棚１５などは御影石等よりなる石材により形成されているので、御影石等よりなる石材は自由な成形性に富むと共に、この石材は墓としての荘厳性を有し、かつ分割パーツの組み合わせにより容易に公園墓地の水汲み場１１を提供するものである。
しかも、手桶１６や柄杓１７の整理棚１５は、参拝時に水を汲み持参する手桶１６や柄杓１７等を整理して保管するように、整理棚のスペースＳ内に配置され架け渡されたステンレス製パイプ１８・・・、１９・・内に設置され、手桶１６は、水切り穴を有する床面パネル１５c上に保管される。
柄杓１７は、整理棚用スペースＳ内に配置され架け渡されたステンレス製パイプ１８・・・に柄杓本体１７aが係止めされて吊り下げられている。
【００１６】
図４と図５は、第２の実施例であり、水栓柱１３を御影石等よりなる分割パーツよりなり、石材により区分し形成したものである。
すなわち、単に外装ケース１３aに穿孔１３eを開設するのではなく、外装ケース１３を穿孔１３eを境に２分割し、この穿孔eを介して給水導管２４が引き出されると共に、蛇口２５が接続される構造とするものである。
【符号の説明】
【００１７】
Ｇ      地面
Ｊ      芝
Ｒ      参道
Ｓ      整理棚用スペースＳ
１０    墓苑
１１    水汲み場
１２    水汲み装置本体
１３    水栓柱
１３a   外装ケース
１３b   蓋体
１３c   底部
１３d   中空部
１３e   穿孔
１４    洗い場
１４a   底部
１４b   外枠
１４ｃ  排水口
１５    整理棚
１５a   正面部
１５b   側面部
１５c   床面パネル
１６    手桶
１６a   手桶本体
１６b   手桶持ち部
１７    柄杓
１７a   柄杓本体
１７a   手持ち部
１８    ステンレス製パイプ
１９    ステンレス製パイプ
２０    床面パネル
２１    コンクリート、タイル、石）
２２    捨てコン基礎部
２３    水導管
２４    給水導管
２５    蛇口
【図１】
2020197050.tif 000003
【図２】
2020197050.tif 000004
【図３】
2020197050.tif 000005
【図４】
2020197050.tif 000006
【図５】
2020197050.tif 000007
【図６】
2020197050.tif 000008
【図７】
2020197050.tif 000009